(57)【要約】  青果物の長期保存においても鮮度を保持することができる青果物用保存部材、青果物用保存容器、および青果物保存方法を提供する。  青果物用保存部材(１１)は、セルロースアシレートを含み、セルロースアシレートのアシル基置換度が２．００以上２．９７以下の範囲内である。青果物用保存容器(４３)は、容器部材(４５)と、青果物用保存部材(１１)とを備え、青果物用保存部材(１１)は、容器部材(４５)の内部に設ける。また、容器部材(４５)は、青果物用保存部材(１１)から形成された窓部(４８)を有する。青果物保存方法は、青果物用保存部材(１１)の少なくとも一部を青果物と接触させる。
2020184112.tif 000002
【特許請求の範囲】
【請求項１】
セルロースアシレートを含み、前記セルロースアシレートのアシル基置換度が２．００以上２．９７以下の範囲内である青果物用保存部材。
【請求項２】
厚みが４０μｍ以上１５０μｍ以下の範囲内である請求項１に記載の青果物用保存部材。
【請求項３】
フィルム形状、袋形状、またはシート形状である請求項１または２に記載の青果物用保存部材。
【請求項４】
青果物を収容する容器部材と、
請求項１ないし３のいずれか１項に記載の青果物用保存部材とを備え、
前記青果物用保存部材は、前記容器部材の内部に設ける青果物用保存容器。
【請求項５】
前記容器部材は、断熱性を有する材料で形成される請求項４の青果物用保存容器。
【請求項６】
前記容器部材は、コップ形状または箱形状である請求項４または５に記載の青果物用保存容器。
【請求項７】
前記青果物用保存部材の重量Ｍ（ｇ）と、前記容器部材の内容積Ｖ（ｃｍ3）とが、以下の式（１）の関係を有する請求項４ないし６のいずれか１項に記載の青果物用保存容器。
２×１０-4≦Ｍ／Ｖ≦５００×１０-4      （１）
【請求項８】
前記容器部材は、前記青果物用保存部材から形成された窓部を有する請求項４ないし７のいずれか１項に記載の青果物用保存容器。
【請求項９】
前記容器部材は、側面のうちの少なくとも１つに前記窓部を有する請求項８に記載の青果物用保存容器。
【請求項１０】
前記容器部材の内容積Ｖ（ｃｍ3）と、前記窓部の面積Ｓ（ｃｍ2）とが、以下の式（２）の関係を有する請求項８または９に記載の青果物用保存容器。
０．００３≦Ｓ／Ｖ≦０．１００      （２）
【請求項１１】
請求項１ないし３のいずれか１項に記載の青果物用保存部材の少なくとも一部が、青果物と接触する青果物保存方法。
【請求項１２】
前記青果物を収容する容器部材を備え、
前記青果物を前記容器部材とを離間した状態で前記青果物を保存する請求項１１に記載の青果物保存方法。
【請求項１３】
前記青果物用保存部材が、前記青果物を支持し、かつ、前記青果物と前記容器部材とを離間する請求項１１または１２に記載の青果物保存方法。
【発明の詳細な説明】
【技術分野】
【０００１】
本発明は、青果物用保存部材、青果物用保存容器、および青果物保存方法に関する。
【背景技術】
【０００２】
１ヶ月を超える長期に渡り、鮮度を保持しながら青果物を保存することが検討されている。例えば、青果物を海外輸送する際は、コストダウンのために、半月から３ヶ月程度を要する船便を用いて輸送することが望まれている。また、ブドウ等の生産時期が限られる青果物は、出荷時期を３ヶ月から半年程度ずらすことにより、高価格で販売することが望まれている。このように、長期に渡り青果物の鮮度を保持するために、船便輸送においては冷蔵コンテナを使用する、また、出荷時期調整においては冷蔵倉庫を使用する等、青果物を冷蔵して保存することが行われている。【０００３】
青果物は、呼吸等により水を放出し、特に冷蔵保存の際には、青果物自体、保存容器、または包装材等に結露が生じやすい。結露は、カビの発生、青果物の変色等の原因となる。したがって、結露を防止するために、紙袋等を用いた包装、または孔を開けた包装材を用いること等が考えられる。しかしながら、これらの場合では、青果物に乾きやしおれ等が生じるおそれがある。また、冷蔵コンテナ、冷蔵倉庫保存においては、大容量のコンテナ、または倉庫等の内部に、冷風や冷調湿風を送風し、温度ムラや乾きを防止することが行われている。しかしながら、温度ムラ等により、場所によっては、結露、カビ、または乾き等の鮮度劣化が生じる場合がある。【０００４】
そこで、セルロースアシレートを含む特定の青果物用包装材により、結露を抑制し、かつ、青果物の変色を抑える技術が開示されている（特許文献１）。この青果物包装材により包装した青果物は、１４日間の冷蔵保存においても結露および青果物の変色が抑制される。
【先行技術文献】
【特許文献】
【０００５】
【特許文献１】国際公開２０１８／００３２４６号
【発明の概要】
【発明が解決しようとする課題】
【０００６】
上記従来の技術による包装材は、青果物を包装することにより、冷蔵保存においても結露等を抑制することができる。上記したとおり、青果物の海外船便輸送、または、出荷時期調整等のために、より長期に渡り青果物の鮮度を保持する方法が望まれていた。【０００７】
本発明は、上記実情に鑑み、青果物の長期保存においても鮮度を保持することができる青果物用保存部材、青果物用保存容器、および青果物保存方法を提供することを目的とする。
【課題を解決するための手段】
【０００８】
上記従来例の問題点を解決するための本発明は、青果物用保存部材であって、セルロースアシレートを含み、セルロースアシレートのアシル基置換度が２．００以上２．９７以下の範囲内である。【０００９】
厚みが４０μｍ以上１５０μｍ以下の範囲内であることが好ましい。また、フィルム形状、袋形状、またはシート形状であることが好ましい。【００１０】
また、本発明は、青果物用保存容器であって、青果物を収容する容器部材と、青果物用保存部材とを備え、青果物用保存部材は、容器部材の内部に設ける。【００１１】
容器部材は、断熱性を有する材料で形成されることが好ましい。また、容器部材は、コップ形状または箱形状であることが好ましい。【００１２】
また、青果物用保存部材の重量Ｍ（ｇ）と、容器部材の内容積Ｖ（ｃｍ3）とが、以下の式（１）の関係を有することが好ましい。
２×１０-4≦Ｍ／Ｖ≦５００×１０-4      （１）【００１３】
容器部材は、青果物用保存部材から形成された窓部を有することが好ましい。また、容器部材は、側面のうちの少なくとも１つに窓部を有することが好ましい。【００１４】
容器部材の内容積Ｖ（ｃｍ3）と、窓部の面積Ｓ（ｃｍ2）とが、以下の式（２）の関係を有することが好ましい。
０．００３≦Ｓ／Ｖ≦０．１００      （２）【００１５】
また、本発明は、青果物保存方法であって、青果物用保存部材の少なくとも一部が、青果物と接触する。また、青果物を収容する容器部材を備え、青果物を容器部材とを離間した状態で青果物を保存することが好ましい。また、青果物用保存部材が青果物を支持し、かつ、青果物と容器部材とを離間することが好ましい。
【発明の効果】
【００１６】
本発明によれば、青果物の長期保存においても鮮度を保持することができる青果物用保存部材、青果物用保存容器、および青果物保存方法を提供することができる。
【図面の簡単な説明】
【００１７】
【図１】フィルム製造装置の外観図である。
【図２】青果物用袋を説明する説明図である。
【図３】成形体製造装置の外観図である。
【図４】青果物用トレイの断面図である。
【図５】青果物用保存容器の一例の説明図である。
【図６ａ】蓋をした青果物用保存容器の一例の説明図である。
【図６ｂ】蓋を外した青果物用保存容器の一例の説明図である。
【図７】帯状フィルムによる包装の説明図である。
【図８】ハンカチ包装の説明図である。
【図９】青果物用シートの使用例の一例を説明するための保存容器の断面図である。
【図１０】青果物用シートの使用例の別の例を説明するための保存容器の断面図である。
【図１１】蓋を有する青果物用保存容器の一例の説明図である。
【図１２】蓋を有する青果物用保存容器の別の例の説明図である。
【発明を実施するための形態】
【００１８】
本発明の青果物用保存部材（以下、保存部材という）は、青果物を保存する際に、青果物の鮮度を保持するために用いる。一般的に、青果物の鮮度とは、新鮮さ、すなわち、青果物が外観を保ち品質の劣化が見られない程度をいうため、本明細書においても、鮮度保持とは、青果物を収穫した際の状態、例えば、色、つや、形、重さ、みずみずしさ、または張り等を保持し、結露またはカビの発生等の品質の劣化が見られない程度に保持されることをいう。鮮度保持により、例えば、変色、シワ、萎れ、またはカビの発生等による青果物の外見の変化、結露の原因にもなる水分放出による重量減少等を抑えることができる。
【００１９】
本発明の保存部材は、セルロースアシレートを含む。セルロースアシレートは、アシル基置換度が２．００以上２．９７以下の範囲内である。セルロースアシレートは、セルロースのヒドロキシ基がカルボン酸でエステル化されたものであるから、アシル基を有する。セルロースアシレートのアシル基置換度が、２．００以上２．９７以下の範囲内であることにより、保存部材に含まれるセルロースアシレートは、青果物から放出された水分による湿度の上昇によって、平衡含水率が上昇する。この平衡含水率の上昇により、保存部材は水分を吸収する。保存部材の水分の吸収により保存部材付近の湿度が低下し、これによって保存部材の平衡含水率が下がり水分を放出する。
【００２０】
また、アシル基置換度が上記範囲内であることにより、保存部材付近における湿度上昇による保存部材の吸水による変形が抑制される。したがって、例えば、保存部材を青果物の支持部材として用いる場合は、吸水しても青果物の支持能力を保つ。また、容器部材の一部を保存部材から形成する場合は、吸水しても容器の形状を保つ。なお、本明細書において、支持とは、青果物の移動または振動等をわずかでも抑えることから、青果物をほぼ固定することまでをいい、程度を問わない。
【００２１】
また、保存部材に含まれるセルロースアシレートが適度な吸放湿性を有する平衡含水率であることにより、例えば、保存部材を、青果物を保存する容器の一部にも用いた場合、この容器を密閉した状態としても、保存部材は、青果物の渇きが抑制される程度の適度に高い湿度に保存部材の内部を維持した状態で、保存部材の青果物側の表面である容器内面に結露が発生することを抑える。さらに、保存部材の外界の温度及び／または湿度が変化しても、保存部材により、湿度の変化を外界の変化に比べて小さく抑える。セルロースアシレートの適度な吸放湿性は、例えば２５℃、相対湿度８０％の平衡含水率と、２５℃、相対湿度５５％の平衡含水率との差により示され、この差が絶対値として０．５％以上３．５％以下であることが好ましい。
【００２２】
結露発生の抑制効果は、冷蔵保存中にも得られ、かつ、長期間続く。その結果、カビの発生及び増殖も抑えられるし、また、青果物は長期間、新鮮な状態で保存される。また、上記のように適度に高い湿度に維持された環境下にあることと結露の抑制とにより、青果物の変色が抑えられる。
【００２３】
アシル基置換度が小さいほど、保存部材は吸収する水分量も上がるので吸水による変形がしやすい。このため、保存部材を構成するセルロースアシレートのアシル基置換度は２．００以上とする。また、アシル基置換度は、理論上３．００が上限となるが、アシル基置換度が２．９７を超えるセルロースアシレートは合成が難しい。このため、保存部材を構成するセルロースアシレートのアシル基置換度は２．９７以下とする。
【００２４】
保存部材に含まれるセルロースアシレートのアシル基置換度は、２．４０以上２．９５以下の範囲内がより好ましく、２．７０以上２．９５以下の範囲内がさらに好ましい。なお、アシル基置換度は、周知の通り、セルロースのヒドロキシ基がカルボン酸によりエステル化されている割合、つまりアシル基の置換度である。
【００２５】
保存部材を構成するセルロースアシレートのアシル基は、特に限定されず、炭素数が１であるアセチル基であってもよいし、炭素数が２以上のものであってもよい。炭素数が２以上であるアシル基としては、脂肪族基でもアリール基でもよく、例えばセルロースのアルキルカルボニルエステル、アルケニルカルボニルエステルあるいは芳香族カルボニルエステル、芳香族アルキルカルボニルエステルなどがあり、これらは、それぞれさらに置換された基を有していてもよい。プロピオニル基、ブタノイル基、ペンタノイル基、ヘキサノイル基、オクタノイル基、デカノイル基、ドデカノイル基、トリデカノイル基、テトラデカノイル基、ヘキサデカノイル基、オクタデカノイル基、イソ−ブタノイル基、ｔ−ブタノイル基、シクロヘキサンカルボニル基、オレオイル基、ベンゾイル基、ナフチルカルボニル基、またはシンナモイル基などを挙げることが出来る。
【００２６】
保存部材を構成するセルロースアシレートのアシル基は１種類だけでもよいし、２種類以上であってもよいが、少なくとも１種がアセチル基であることが好ましい。アセチル基を有するセルロースアシレートであることにより、保存部材が水分を吸収しやすいため結露の抑制効果等がより良好となる。最も好ましくはアシル基がすべてアセチル基であるセルロースアシレートであること、すなわち、セルロースアシレートがセルロースアセテートであることがより好ましい。
【００２７】
アシル基置換度は、慣用の方法で求めることができる。例えば、アセチル化度（アセチル基置換度）は、ＡＳＴＭ：Ｄ−８１７−９１(セルロースアセテート等の試験方法)におけるアセチル化度の測定および計算に従って求められる。また、高速液体クロマトグラフィーによるアシル化度（アシル基置換度）分布測定によっても測定できる。この方法の一例としてセルロースアセテートのアセチル化度測定は、試料をメチレンクロライドに溶解し、カラム「Ｎｏｖａｐａｃ  ｐｈｅｎｙｌ（Ｗａｔｅｒｓ）」を用い、溶離液であるメタノールと水との混合液（メタノール：水の質量比が８：１）からジクロロメタンとメタノールとの混合液（ジクロロメタン：メタノールの質量比が９：１）へのリニアグラジエントによりアセチル化度分布を測定し、アセチル化度の異なる標準サンプルによる検量線との比較で求める。これらの測定方法は特開２００３−２０１３０１号公報に記載の方法を参照して求めることができる。セルロースアシレートのアセチル化度の測定は、保存部材から採取した場合は、添加剤が含まれるため、高速液体クロマトグラフィーによる測定が好ましい。
【００２８】
保存部材は、青果物の鮮度を保持して保存する際に、青果物の付近で使用する。例えば、青果物を保存する際に、青果物の支持に用いる、もしくは青果物を保存する容器の内側に備える、またはこれらと組み合わせて青果物を保存する容器の一部に用いる、等が挙げられる。
【００２９】
保存部材は、例えば、青果物の支持部材として用いる。この場合は、保存部材の少なくとも一部を青果物と接触させることが好ましい。また、保存部材は、青果物を保存する容器部材の一部に用いる。この場合は、容器部材の一部を保存部材から形成する。また、保存部材は、青果物を保存する容器の内側に備えて用いる。この場合は、青果物を保存する容器内に、青果物とともに、保存部材を入れておく。この場合も、保存部材の少なくとも一部を青果物と接触させることが好ましい。
【００３０】
保存部材の形状、大きさ、または厚さ等は、青果物の種類等に応じ、特に限定はなく、適宜設定することができる。なお、本明細書において部材とは、独立した物品を意味し、形状または機能等は問わない。
【００３１】
保存部材の形状は、鮮度保持がなされる青果物の種類等に応じて、フィルム形状、袋形状、またはシート形状であることが好ましい。または、青果物を支持するトレイ形状であってもよい。
【００３２】
図１に示すフィルム製造装置１０は、本発明を実施した保存部材を、一例として、フィルム状に形成する。以下、フィルム状の保存部材を、青果物用フィルム１１ａという。この例の青果物用フィルム１１ａは、単層構造であり、フィルム製造装置１０により長尺に製造される。フィルム製造装置１０については、後述する。
【００３３】
青果物用フィルム１１ａは、厚みが４０μｍ以上１５０μｍ以下の範囲内であることが好ましい。厚みを調節することにより青果物用フィルム１１ａの含水率を調整することができ、その結果、青果物用フィルム１１ａを使用する間における青果物付近の湿度が調整されるから、青果物の渇きが抑えられる。また、厚みを大きくすることで、青果物用フィルム１１ａが青果物を支持する能力が向上する。また、青果物用フィルム１１ａを袋形状とした場合は、より大きなサイズの袋形状の態様でも、使用に耐えられる。青果物用フィルム１１ａの厚みは、５０μｍ以上１４０μｍ以下の範囲内がより好ましく、６０μｍ以上１３０μｍ以下の範囲内がさらに好ましい。
【００３４】
青果物用フィルム１１ａは、長尺状に限定されず、例えば矩形などのシート状であってもよい。以下、シート状の青果物用保存用具を、青果物用シートという。また、図２に示すように、青果物用フィルム１１ａまたは青果物用シートにより、保存部材を袋形状とすることができる。以下、袋形状の保存部材を青果物用袋３０という。なお、図において、網掛けの部分は、保存部材からなることを示す。
【００３５】
青果物用袋３０は、以下のようにして形成することができる。すなわち、長尺に得られた青果物用フィルム１１ａを矩形のシート状にカットし、長辺の中央で折り曲げ、ヒートシール（熱溶着）により縁部３２の２辺を閉じ、青果物用袋３０をつくっている。そして、この青果物用袋３０に青果物を入れ、開放されている残りの１辺の縁部を接着テープにより閉じた態様、すなわち封を閉じた態様に包装することができる。青果物用袋３０は、ヒートシールによる形成に限定されず、接着剤または粘着剤を用いて形成してもよい。
【００３６】
また、図３に示す成形体製造装置５０は、本発明を実施した保存部材を、一例として、トレイ状に形成する。以下、トレイ状の保存部材を、青果物用トレイという。青果物用トレイは、単層構造であっても、積層構造であってもよい。図４に示すように、この例の青果物用トレイ４０は、単層構造の保存部材１１からなり、成形体製造装置５０により、青果物用フィルム１１ａから、成形体として製造される。成形体製造装置５０については、後述する。
【００３７】
次に、青果物用保存容器（以下、保存容器という）は、容器部材と保存部材とを備える。容器部材は、青果物を収容して保存するための容器である。保存部材は青果物の付近に備える。したがって、容器部材の内部に保存部材を設けたものが青果物用保存容器である。具体的には、例えば、図５に示すように、ブドウ４２を保存部材である青果物用フィルム１１ａでハンカチ包装したものを、容器部材４５であるポリエチレンテレフタレート製の透明なコップ型の成型容器の中に収容する。したがって、ブドウ４２は、青果物用フィルム１１ａと容器部材４５とを備える保存容器４３の中に収容されている。容器部材４５の蓋はなく、開口部４７となっている。
【００３８】
容器部材４５は、青果物を鮮度の低下を防ぎながら保存することができるよう、青果物の種類等により、材質または形状等を適宜選択することができる。例えば、青果物の種類により、輸送中等に青果物同士または容器部材４５にぶつかる等の物理的損傷を避ける形状の容器とする、また、通気が必要な青果物において、通気を確保する材質または形状の容器とする等である。
【００３９】
容器部材４５は、通常、青果物の容器に用いられている材料からなるものを選択することができる。例えば、プラスチック製容器または段ボール等の自然素材製容器等を用いることができる。
【００４０】
プラスチック製容器では、通常、青果物の容器として使用する樹脂からなるものを使用できる。例えば、低密度ポリエチレン（ＬＤＰＥ（Ｌｏｗ  Ｄｅｎｓｉｔｙ  Ｐｏｌｙｅｔｈｙｌｅｎｅ））、高密度ポリエチレン（ＨＤＰＥ（Ｈｉｇｈ  Ｄｅｎｓｉｔｙ  Ｐｏｌｙｅｔｈｙｌｅｎｅ））、直鎖状低密度ポリエチレン（ＬＬＤＰＥ（Ｌｉｎｅａｒ  Ｌｏｗ  ｄｅｎｓｉｔｙ  Ｐｏｌｙｅｔｈｙｌｅｎｅ））等のポリエチレン系樹脂；ランダムポリプロピレン、ブロック共重合ポリプロピレン等のポリプロピレン（ＰＰ（Ｐｏｌｙｐｒｏｐｙｌｅｎｅ））系樹脂；ポリ塩化ビニル（ＰＶＣ（ｐｏｌｙｖｉｎｙｌ  ｃｈｌｏｒｉｄｅ））、ポリ塩化ビニリデン（ＰＶＤＣ（ｐｏｌｙｖｉｎｙｌｉｄｅｎｅ  ｃｈｌｏｒｉｄｅ））等の塩化ビニル系樹脂；エチレンアクリル酸共重合体（ＥＡＡ（Ｅｔｈｙｌｅｎｅ／ｅｔｈｙｌ  ａｃｒｙｌａｔｅ  ｃｏｐｏｌｙｍｅｒ））、エチレンアクリル酸エチル共重合体（ＥＥＡ（Ｅｔｈｙｌｅｎｅ／ｅｔｈｙｌ  ａｃｒｙｌａｔｅ  ｃｏｐｏｌｙｍｅｒ））、エチレンアクリル酸メチル共重合体（ＥＭＡ（ｅｔｈｙｌｅｎｅ−ｍｅｔｈａｃｒｙｌｉｃ  ａｃｉｄ  ｐｌａｓｔｉｃ））、エチレンメタクリル酸共重合体（ＥＭＡＡ（ｅｔｈｙｌｅｎｅ／ｍｅｔｈａｃｒｙｌｉｃ  ａｃｉｄ  ｃｏｐｏｌｙｍｅｒ））、エチレンメタクリル酸メチル共重合体（ＥＭＭＡ（ｅｔｈｙｌｅｎｅ／ｍｅｔｈｙｌ  ｍｅｔｈａｃｒｙｌａｔｅ））、エチレンビニル共重合体（ＥＶＡ（ｅｔｈｙｌｅｎｅ−ｖｉｎｙｌ  ａｃｅｔａｔｅ））、エチレンビニルアルコール共重合体（ＥＶＯＨ、ｅｔｈｙｌｅｎｅ−ｖｉｎｙｌ  ａｌｃｏｈｏｌ）、ポリビニルアルコール（ＰＶＡ（ｐｏｌｙ  ｖｉｎｙｌ  ａｌｃｏｈｏｌ））等の共重合体；ポリスチレン（ＰＳ（ｐｏｌｙｓｔｙｒｅｎｅ））；ポリエチレンテレフタラート（ＰＥＴ（ｐｏｌｙ  ｅｔｈｙｌｅｎｅ  ｔｅｒｅｐｈｔｈａｌａｔｅ））、ポリ乳酸（ＰＬＡ（ｐｏｌｙｌａｃｔｉｃ  ａｃｉｄ））等のポリエステル系樹脂；ダンボール等の紙、サトウキビ、葦、ケナフ、ファイバーボード等の木材等の自然素材；等が挙げられる。また、これらのポリマーアロイ、ポリマーブレンドまたはアイオノマー等でも良い。なお、これらの樹脂に、各種のフィラー、粒子等を混合した化合物を用いても良い。また、樹脂は、発泡したものであっても良く、また、透明であっても不透明であってもよい。また、生分解性を有するものであってもよい。また、防曇加工、ラミネート、その他の加工がなされていてもよい。
【００４１】
容器部材４５としては、これらの材料のなかでも、容器部材４５の外部と内部との熱の移動が制限または制御されることにより、容器部材４５内の温度変動が抑えられ、また、冷蔵倉庫等、保管場所による外部の温度ムラの影響が抑えられるため、断熱性を有する材料で形成されることが好ましい。断熱性を有する材料としては、通常、青果物の容器に用いられる断熱材料を選択することができる。例えば、一般的に用いられる発泡スチロールを用いることができる。なお、断熱性能が少ない材料からなる容器部材４５であっても、容器部材４５の厚みを調整する、容器部材４５の開口部４７（図５または図６ａ参照）を調整する等により、断熱性能を調整しても良い。
【００４２】
容器部材４５の形状は、鮮度を保持しながら青果物を収容して保存するものであれば、青果物の種類、量、または目的等に応じて適宜選択できる。青果物を個別に収容する目的の場合は、青果物の種類に応じた形状の容器部材４５を選択することができる。また、青果物をまとめて収容する場合は、青果物の種類および収容する数または量により、保存の際または輸送の際に青果物が傷みにくい形状の容器部材４５を選択することができる。また、青果物の種類によっては、追熟またはガスの発生等により保存の際に空間が必要なものがあるため、それらに適した容器部材４５の形状とすることができる。したがって、容器部材４５の形状は、青果物が鮮度を保持し、傷みの発生がなるべく少なくなるよう、入れる青果物の種類または量等に応じた形状であることが好ましい。
【００４３】
容器部材４５は、例えば、青果物の形状に合わせて凹部を形成し、この凹部上に青果物を載置する形状とすることができる（図４参照）。また、保存部材１１を青果物の形状に合わせて形成した青果物用トレイ４０とした場合、容器部材４５は、青果物用トレイ４０を載置する形状に形成してもよい。このような容器部材４５の形状により、輸送の際等に、青果物用トレイ４０の移動を防ぐ形状に形成してもよい。
【００４４】
容器部材４５の形状は、具体的には、コップ形状（図５参照）、または、図６ａおよび図６ｂに示すように、箱形状であることが好ましい。図６ａの容器部材４５は、発泡スチロール製の箱形状の容器部材４５であって、蓋３４と容器部３６とを有する。この容器部材４５は、開口部４７を備える。開口部４７は、箱の４つの面のそれぞれの上部に設けている。図６ｂでは、図６ａの容器部材４５の容器部３６の中に、ブドウ４２を青果物用フィルム１１ａでハンカチ包装したものを４個入れたところを示している、ブドウ４２は、傷みが少なくなるように、青果物用フィルム１１ａの包装により支持され、さらに、容器部３６内の個別トレイにより支持される。なお、図６ａまたは図６ｂにおいては、図が煩雑になるため、符号は一部に付してある。このように、コップ形状または箱形状であることにより、汎用性があり、入手しやすく、青果物を収容して保存する際に、形状を保って個別に収容しやすい。したがって、容器部材４５は、例えば、発泡スチロールの他に、ＰＥＴ製、またはＰＰ製の成型容器を好ましく用いることができる。青果物、または、青果物と保存部材１１とを収容した際、変形しにくく、透明であり、内容を確認しやすいためである。
【００４５】
また、容器部材４５は、密閉系、開放系、または一部開放系のいずれでも良い。青果物の種類等に応じて、青果物の保存が可能な形状または気密性であれば良い。好ましくは、容器部材４５は開放系または一部開放系である。容器部材４５は開放系または一部開放系として、容器の内部と外部の空気の交換が生じることにより内部の保存部材１１が吸放湿した際の効果が高いため好ましい。より好ましくは、さらに容器部材４５の開口部に保存部材１１による窓部を設ける（図１２参照）。容器部材４５の内部と外部での湿度交換のみが生じるようにすることにより、外部からの菌やカビ、異物などの混入を抑えつつ内部の保存部材１１の吸放湿した際の効果が高まるためである。保存部材１１の吸放湿した際の効果を高めるためには、容器部材４５の湿度透過性を小さくすることも好ましい。
【００４６】
保存容器４３は、例えば、保存部材１１を青果物の支持部材として用いる場合、青果物と、青果物の支持部材である保存部材１１とを、容器部材４５の内側に入れて用いる。具体的には、青果物用フィルム１１ａを用いて青果物を包装する（図５、図６a、図６ｂ、図７、または図８参照）、青果物を青果物用トレイ４０により支持する（図４参照）、または、青果物用シートを青果物の下に配置する（図９または図１０参照）等が挙げられる。
【００４７】
青果物用フィルム１１ａを用いて青果物を包装する場合は、青果物を支持し、かつ、青果物が容器部材４５に直接接触することを低減または防止する。したがって、図７に示すように、帯状の青果物用フィルム（以下、帯状フィルムという）１１ａにより、青果物を帯包装する、または、図８に示すように、ハンカチ状の青果物用フィルム１１ａにより、青果物をハンカチ包装する等を行うことができる。青果物を青果物用フィルム１１ａにより包装することにより、包装の内部、すなわち、青果物側と、包装の外部、すなわち、容器側との包装の内外の空気の移動を抑えれば良い。したがって、青果物用フィルム１１ａによる包装は、必ずしも密閉でなくても良い。
【００４８】
以上のように、青果物用フィルム１１ａにより青果物を包装したものを容器部材４５にいれることにより、青果物用フィルム１１ａによる湿度調整と結露防止とが行われ、青果物を支持し、容器部材４５に青果物が直接接触することを低減できる。したがって、容器部材４５と青果物との接触部における結露、カビや変色等の劣化を防止することができる。また、青果物用フィルム１１ａによる支持機能に加え、青果物の上部を青果物用フィルム１１ａにより覆うことにより、青果物用フィルム１１ａの内部の温度維持機能が発揮される。したがって、青果物周辺における温度変化がより抑えられるため、温度変化及び／又は結露等による青果物の劣化が抑えられる。
【００４９】
次に、図９に示すように、青果物用フィルム１１ａからなる青果物用シートを青果物の下に配置する場合は、青果物が容器部材４５に直接接触することを低減または防止する。なお、この場合は、青果物シートと容器部材４５との間に空間ＳＰを設けることにより、青果物シートの湿度調整と結露防止との機能がより良く発揮され、また、青果物の支持機能も発揮されるため、好ましい。青果物シートと容器部材４５との間に空間ＳＰを設ける場合は、青果物シートが容器部材４５に接触してもよいし、図１０に示すように、ハンモック状として青果物を支持し、青果物シートが容器部材４５に接触しないようにしてもよい。いずれの場合も、青果物シートにより、青果物と容器部材４５とを離間することが好ましい。
【００５０】
なお、保存容器４３においては、保存部材１１の重量をＭ（ｇ）とし、容器部材４５の内容積をＶ（ｃｍ3）とした場合、以下の式（１）の関係を有することが好ましい。
【００５１】
２×１０-4≦Ｍ／Ｖ≦５００×１０-4      （１）
【００５２】
容器部材４５の内容積をＶ（ｃｍ3）は、収納する青果物の保存容量と対応するが、内容積Ｖに存在する空気が有する冷蔵保存時の飽和含水量に対して、一定重量の保存部材１１を容器部材４５の内部に有することにより、セルロースアシレートの吸放湿性により、容器内部の高湿環境が維持され、結露防止性を高める。容器部材４５の内容積Ｖ（ｃｍ3）に対する保存部材１１の重量Ｍ（ｇ）が、２×１０-4ｇ／ｃｍ3以上であることにより、高湿環境維持及び結露防止性性能が発揮され、５００×１０-4ｇ／ｃｍ3以下であることにより、容器部材４５が容器として青果物を十分に収納することができる。容器部材４５の内容積Ｖ（ｃｍ3）に対する保存部材１１の重量Ｍ（ｇ）は、好ましくは、４×１０-4ｇ／ｃｍ3以上、より好ましくは、６×１０-4ｇ／ｃｍ3以上である。一方、好ましくは、２００×１０-4ｇ／ｃｍ3以下、より好ましくは１００×１０-4ｇ／ｃｍ3以下である。
【００５３】
なお、容器部材４５においては、内容積の数％から３０％程度を、収納する青果物が占めることが好ましい。また、容器部材４５の内容積Ｖは、容器部材４５の内部に保存部材１１その他のなにも有していない場合の内容積である。
【００５４】
容器部材４５は、保存部材１１から形成した窓部を有することが好ましい。窓部とは、容器部材４５の少なくとも一部に設けた開口部を、保存部材１１により形成した部分である。窓部は、保存部材１１から形成したものであるので、容器部材４５として、外部空間と仕切る機能を有し、かつ、容器部材４５内部の過剰な水分を適度に容器部材４５の外部に放出する機能を有する。したがって、窓部により、容器部材４５内部において結露等が生じることを防ぎ、容器部材４５内部を高湿環境に維持することができる。また、青果物用フィルム１１ａまたは青果物用シートを用いる場合は、窓部が透明性を有するため、容器部材４５が透明でない場合であっても、窓の機能も果たす。
【００５５】
具体的には、例えば、容器部材４５の上面の一部または全部を、窓部とする。容器部材４５の上面は、蓋であってもよい。したがって、図１１に示すように、容器部材４５の蓋の一部を、窓部４８としてもよい。なお、図１１においては、窓部４８に設けられた青果物用フィルム１１ａは、ハンカチ包装に用いられる青果物用フィルム１１ａと区別をするために、斜線で示している。
【００５６】
または、容器部材４５の側面および底面のうちの少なくとも１つの面の一部または全部を、窓部４８とする。また、例えば、容器部材４５の上面と側面の一部との両方を、窓部４８としてもよい。窓部４８の形状、数または位置等は、青果物の種類等に応じて決定できるが、容器部材４５が箱形状である場合は、側面のうちの少なくとも１つに、窓部４８を形成することが好ましい。箱形状の容器部材４５を重ねて保管する場合等において、窓部４８による湿度調整機能および内部を確認する性能が発揮しやすいためである。具体的には、例えば、図１２に示すように、蓋３４と容器部３６を有する容器部材４５において、側面に設けた開口部であったところに、青果物用フィルム１１ａを設ける。この例では、箱の４面全てに窓部４８を設けている。青果物用フィルム１１aは、例えば、容器部３６の外側の接着部４９において、両面テープ等で接着して設けることができる。なお、図１２を含む図においては、図が煩雑になるため、符号は一部に付している。
【００５７】
なお、保存容器４３においては、容器部材４５の内容積をＶ（ｃｍ3）とし、窓部４８の面積をＳ（ｃｍ2）とした場合、以下の式（２）のの関係を有することが好ましい。
【００５８】
０．００３≦Ｓ／Ｖ≦０．１００      （２）
【００５９】
容器部材４５の内容積Ｖ（ｃｍ3）は、収納する青果物の保存容量と対応するが、容器部材４５において、内容積Ｖに対して一定の割合の面積で、保存部材１１により形成される窓部４８を有することにより、容器部材４５の湿度放出量を調整することができ、かつ、容器部材４５内部の視認性を付与することができる。容器部材４５の内容積Ｖ（ｃｍ3）に対する窓部４８の面積Ｓ（ｃｍ2）が、０．００３ｃｍ-1以上であることにより、湿度放出量調整性能及び内部視認性能が発揮され、０．１００ｃｍ-1以下であることにより、湿度を過度に放出するのを防ぐことができ、かつ、青果物を損なわずに容器部材４５の形状を保つことができる。容器部材４５の内容積Ｖ（ｃｍ3）に対する窓部４８の面積Ｓ（ｃｍ2）は、好ましくは、０．００５ｃｍ-1以上、より好ましくは、０．００７ｃｍ-1以上である。一方、好ましくは、０．０８０ｃｍ-1以下、より好ましくは０．０７０ｃｍ-1以下である。
【００６０】
以上のとおり、保存容器４３を構成することにより、保存部材１１から形成した窓部４８は、容器部材４５として外部空間と仕切る機能を有し、かつ、容器部材４５内部の過剰な水分を適度に容器部材４５の外部に放出する機能を有する。さらに、保存容器４３は、青果物の付近に備えた保存部材１１を有し、保存部材１１は青果物を支持する。したがって、セルロースアシレートからなる保存部材１１の吸放湿性により、容器部材４５の内部空間の湿度を安定化し、かつ、結露を生じないようにする。さらに、保存部材１１が青果物を支持するため、青果物が容器部材４５と接触する部分における結露、カビ、または変色の発生を抑える。したがって、保存部材１１または保存容器４３により、収納された青果物の鮮度は、長期に渡り保持される。
【００６１】
なお、上記範囲のアシル基置換度を有するセルロースアシレートは、保存部材１１を形成するために可塑剤が添加されることが好ましい。セルロースアシレートの可塑剤としては公知の種々のものを用いることができ、可塑剤を用いても結露は抑制され、また、青果物の変色も確実に抑えられる。例えば、トリフェニルホスフェート（ＴＰＰ）とビフェニルジフェニルフォスフェート（ＢＤＰ）とを、上記範囲のアシル基置換度を有するセルロースアシレートとともに含む保存部材１１により包装袋をつくり、この包装袋内に青果物を入れて密閉し、５℃に保持した状態で１４日間冷蔵保存しても、包装袋の内壁は結露がごくわずかに確認されて包装袋内が薄く曇って見えるものの、青果物はほとんど変色せず、新鮮な状態が維持されたことが確認されている。このように、結露の抑制と青果物の変色との観点では可塑剤は種々のものが用いられる。そして、保存対象が青果物であることに鑑みて、安全性が確認されているものであれば可塑剤は種々の公知のものを用いてよい。
【００６２】
保存部材１１は、アシル基置換度が上記範囲内であるセルロースアシレートに加えて、糖のエステル誘導体と、エステルオリゴマーと、アクリルポリマーとの少なくともいずれかひとつを含んでいることが好ましい。糖のエステル誘導体と、エステルオリゴマーとは、アシル基置換度が上記範囲内であるセルロースアシレートの可塑剤として機能する。
【００６３】
糖のエステル誘導体は、単糖のエステル誘導体と多糖のエステル誘導体とのいずれでもよく、保存部材１１はこれら両者を含んでもよい。上記の安全性の観点も考慮し、糖としては、グルコース、ガラクトース、マンノース、フルクトース、キシロース、アラビノース等の単糖類、ラクトース、スクロース、ニストース、１Ｆ−フラクトシルニストース、スタキオース、マルチトール、ラクチトール、ラクチュロース、セロビオース、マルトース、セロトリオース、マルトトリオース、ラフィノースあるいはケストース、ゲンチオビオース、ゲンチオトリオース、ゲンチオテトラオース、キシロトリオース、及び／又はガラクトシルスクロースなどの多糖類が挙げられる。好ましくはグルコース、フルクトース、スクロース、ケストース、ニストース、１Ｆ−フラクトシルニストース、スタキオース等であり、更に好ましくは、スクロース、グルコースである。また、多糖類としてオリゴ糖を用いることもでき、オリゴ糖としては、澱粉、ショ糖等にアミラーゼ等の酵素を作用させて製造されるものであり、オリゴ糖としては、例えば、マルトオリゴ糖、イソマルトオリゴ糖、フラクトオリゴ糖、ガラクトオリゴ糖、キシロオリゴ糖が挙げられる。
【００６４】
上記単糖、多糖類構造中のヒドロキシ基のすべてもしくは一部をエステル化するのに用いられるモノカルボン酸としては、特に制限はなく、公知の脂肪族モノカルボン酸、脂環族モノカルボン酸、芳香族モノカルボン酸等を用いることができる。用いられるカルボン酸は１種類でもよいし、２種以上の混合であってもよい。
【００６５】
好ましい脂肪族モノカルボン酸としては、酢酸、プロピオン酸、酪酸、イソ酪酸、吉草酸、カプロン酸、エナント酸、カプリル酸、ペラルゴン酸、カプリン酸、２−エチル−ヘキサンカルボン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸、ウンデシレン酸、オレイン酸、ソルビン酸、リノール酸、リノレン酸、アラキドン酸、オクテン酸等の不飽和脂肪酸、シクロペンタンカルボン酸、シクロヘキサンカルボン酸、シクロオクタンカルボン酸、等の脂環族モノカルボン酸等を挙げることができる。
【００６６】
好ましい芳香族モノカルボン酸の例としては、安息香酸、トルイル酸等の安息香酸のベンゼン環にアルキル基、アルコキシ基を導入した芳香族モノカルボン酸、ケイ皮酸、ベンジル酸、ビフェニルカルボン酸、ナフタリンカルボン酸、テトラリンカルボン酸等のベンゼン環を２個以上有する芳香族モノカルボン酸、又はそれらの誘導体を挙げることができ、特に安息香酸、ナフチル酸が好ましい。
【００６７】
本実施形態では、スクロースのエステル誘導体、より具体的には、安息香酸エステル（第一工業製薬（株）製モノペット（登録商標）ＳＢ）を用いている。
【００６８】
エステルオリゴマーは、ジカルボン酸とジオールとのエステル結合が含まれる繰り返し単位をもち繰り返し単位が数個〜１００個程度の比較的分子量が低い化合物であり、脂肪族エステルオリゴマーであることが好ましい。セルロースアシレートの可塑剤としての作用が、芳香族エステルオリゴマーよりも確実だからである。
【００６９】
エステルオリゴマーは、分子量が５００以上１００００以下の範囲内であることが好ましい。分子量が５００以上であることにより、５００未満であることに比べて、保存部材１１の可撓性（フレキシブル性）やヒートシール性が向上し、分子量が１００００以下であることにより、１００００よりも大きい場合に比べてセルロースアシレートとの相溶性が確実だからである。エステルオリゴマーの分子量は、７００以上５０００以下の範囲内であることがより好ましく、９００以上３０００以下の範囲内であることがさらに好ましい。
【００７０】
エステルオリゴマーの上記分子量は、分子量分布を持つため、ＧＰＣ（Gel Permeation Chromatography）による重量平均分子量や数平均分子量、末端官能基量測定や浸透圧測定による数平均分子量測定法、粘度測定による粘度平均分子量などで求めることができる。本実施形態では、末端官能基としてエステルの水酸基もしくは酸基を測定することによる数平均分子量測定法により求めている。
【００７１】
エステルオリゴマーは、ジカルボン酸としては炭素数が２以上１０以下の範囲内であるジカルボン酸、ジオールとしては、炭素数が２以上１０以下の範囲内であるジオールであることがより好ましい。特にジカルボン酸、ジオールとも脂肪族化合物であることが好ましい。これは、脂肪族ジカルボン酸と脂肪族ジオールとを用いることにより、保存部材１１に柔軟性を付与することができ、含水率がより好ましくなるからである。ジカルボン酸として芳香族カルボン酸として、フタル酸、テレフタル酸、イソフタル酸など、脂肪族カルボン酸としては、マロン酸、コハク酸、グルタル酸、アジピン酸、セバシン酸、アゼライン酸、シクロヘキサンジカルボン酸、マレイン酸、フマル酸等が挙げられる。脂肪族ジオールとしては、エタンジオール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール（ネオペンチルグリコール）、１，４−ヘキサンジオール、１，４−シクロヘキサンジオール、１，４−シクロヘキサンジメタノール等が挙げられる。エステルオリゴマーの末端水酸基や酸基をモノカルボン酸やモノアルコールなどにより封止することも好ましい。これらのうち、アジピン酸とエチレングリコールとのエステルを繰り返し単位とするオリゴマー、コハク酸とエチレングリコールとのエステルを繰り返し単位とするオリゴマー、テレフタル酸とエチレングリコールとのエステル及びフタル酸とエチレングリコールとのエステルとを繰り返し単位とするオリゴマーなどが好ましい。
【００７２】
単糖のエステル誘導体の質量をＭ１とし、多糖のエステル誘導体の質量をＭ２とし、エステルオリゴマーの質量をＭ３とし、Ｍ１＋Ｍ２＋Ｍ３で求める質量の和（以下、質量和と称する）をＭＰとする。保存部材１１は、単糖のエステル誘導体と多糖のエステル誘導体とエステルオリゴマーとの少なくともいずれかひとつを含む場合には、セルロースアシレートの質量を１００とするときに、質量和ＭＰが５以上３０以下の範囲内であることが好ましい。質量和ＭＰが５以上であることにより、５未満である場合に比べて、保存部材１１の可撓性が良い、及び／または、フィルム製造装置１０によるフィルム状の保存部材１１がつくりやすい。質量和ＭＰが３０以下であることにより、３０よりも大きい場合に比べて、保存部材１１の含水率がより好ましくなる。
【００７３】
保存部材１１は、添加剤として、可塑剤の他に、紫外線吸収剤、保存部材１１同士の貼り付きを防止するいわゆるマット剤としての微粒子等なども、上記の安全性が確認されているものならば含んでいて構わない。添加剤の種類と量とを調節することにより保存部材１１の含水率を調整することができ、その結果、例えば、窓部４８である保存部材１１の場合、容器部材４５の内部の湿度が調整されるから青果物の渇きが抑えられる。
【００７４】
アクリルポリマー（アクリル樹脂）は、保存部材１１の含水率及び／または可撓性の調整剤として機能する。アクリルポリマーとしては、例えば、メチルアクリレート、メチルメタクリレート、及びこれらのアクリル酸やメタクリル酸との共重合体などが好ましい。保存部材１１がアクリルポリマーを含む場合には、アクリルポリマーの質量は、セルロースアシレートの質量を１００とするときに、１０以上３００以下の範囲内であることが好ましい。
【００７５】
なお、糖のエステルとエステルオリゴマーとアクリルポリマーとに関し、これらの各安全性は、下記の文献にそれぞれ記載されている。すなわち、糖のエステルに関しては、有機合成化学協会誌Ｖｏｌ．２１（１９６３）Ｎｏ．１、Ｐ−１９−２７と、第一工業製薬カタログ、特開２０１１−２３７７６４号公報等である。第一工業製薬カタログには糖の脂肪酸エステルと安息香酸エステルとについて記載されている。エステルオリゴマーに関しては、塩化ビニルへの添加剤として塩化ビニルへの移行が抑えられることを含めて、塩ビ工業・環境協会のホームページと、可塑剤工業会資料などに記載され、セルローストリアセテートとのブレンドを含めて、特開２００９−１７３７４０号公報に記載されている。アクリルポリマーに関しては、特開２００３−１２８５９号公報、特開２０１１−１５４３６０号公報に記載されている。なお、安全性は、上記物質それ自体のみならず、上記物質の分解物の安全性も含む。
【００７６】
また、青果物は水分放出や呼吸作用といった生理作用を維持しているため、保存部材１１または保存容器４３を使用した場合に、保存部材１１に含まれる水分による結露の抑制や保存部材１１の内部の湿度調整の効果が確実に得られる。このような青果物として、ブロッコリ、ナバナなどの花菜類、ホウレンソウ、コマツナなどの葉茎菜類、ピーマン、ナス、トマト、キュウリ、イチゴ、エダマメ、スイカ、メロンなどの果菜類、バナナ、ブドウ、リンゴ、ナシ、ミカン、モモ、スモモ、ウメ、サクランボ、カキ、パイナップル、キウイフルーツなどの果実類、ナガイモ、ゴボウなどの根菜類、シイタケ、シメジのようなキノコ類、および菊、ユリのような切り花等が挙げられる。これらのうち、一定の水分の放出があり、長期保管でカビや変色などが発生しやすいなどの理由から、花菜類、果菜類、果実類で保存部材１１または保存容器４３を好ましく用いることができる。特にブドウ、ナシなどの果実類において好ましく用いることができる。
【００７７】
保存部材１１または保存容器４３は、常温保存では結露と変色とが抑制され、冷蔵時には結露や変色を防止し長期に保管をすることができる。結露が抑制されるからカビも抑制される。常温保存は１０℃以上３０℃以下の範囲、冷蔵保存は０℃以上１０℃以下の範囲をいう。保存部材１１または保存容器４３は冷蔵時の結露を十分防止できるため、冷蔵保存においてより好ましい効果が得られる。冷蔵保存においては、温度として０℃以上５℃以下が特に好ましい。また、冷蔵保存において、相対湿度を５０％以上９０％以下に調整することもより好ましい。冷蔵保存の設備は、冷蔵庫、冷蔵倉庫、冷蔵コンテナ等により行うことができる。冷蔵保存する際には保存容器４３を箱形状として容器を積んで使用することで、冷蔵保存設備の面積を小さく使用でき、冷蔵保存設備の容積を効率的に使用することができる
【００７８】
ここで、フィルム製造装置１０（図１参照）について説明する。フィルム製造装置１０は、溶液製膜方法によりドープ１２から青果物用フィルム１１ａを連続的に製造する。ドープ１２は、上記範囲内のアシル基置換度を有するセルロースアシレートが溶媒に溶けているセルロースアシレート溶液である。本実施形態では、溶媒としてジクロロメタンとメタノールとの混合物を用いているが、これに限定されない。ドープ１２には前述の各種添加剤が含まれていてもよく、本実施形態のドープ１２には、可塑剤とマット剤とを含ませてある。
【００７９】
フィルム製造装置１０は、流延ユニット１５と、ローラ乾燥機１６と、巻取機１７とを、上流側から順に備える。流延ユニット１５は、環状に形成されたベルト２１と、ベルト２１を周面で支持した状態で長手方向へ走行させる一対のローラ２２と、送風機２３と、流延ダイ２４と、剥取ローラ２５とを備える。一対のローラ２２の少なくとも一方は周方向に回転し、この回転により、巻き掛けられたベルト２１は長手方向へ連続走行する。流延ダイ２４は、この例では一対のローラ２２の一方の上方に配しているが、一対のローラ２２の一方と他方との間のベルト２１の上方に配してもよい。
【００８０】
ベルト２１は、後述の流延膜２６の支持体であり、例えば長さが５５ｍ以上２００ｍ以下の範囲内、幅が１．５ｍ以上５．０ｍ以下の範囲内、及び厚みが１．０ｍｍ以上２．０ｍｍ以下の範囲内としている。
【００８１】
流延ダイ２４は、供給されてきたドープ１２を、ベルト２１に対向する流出口２４ａから連続的に流出する。走行中のベルト２１にドープ１２を連続的に流出することにより、ドープ１２はベルト２１上で流延され、ベルト２１上に流延膜２６が形成される。
【００８２】
一対のローラ２２は、周面温度を調節する温度コントローラ（図示せず）を備える。周面温度を調節したローラ２２により、ベルト２１を介して流延膜２６は温度を調整される。流延膜２６を加熱して乾燥を促進することにより固める（ゲル化する）いわゆる乾燥ゲル化方式の場合には、ローラ２２の周面温度は、例えば１５℃以上３５℃以下の範囲内にするとよい。また、流延膜２６を冷却して固めるいわゆる冷却ゲル化方式の場合には、ローラ２２の周面温度を−１５℃以上５℃以下の範囲内にするとよい。なお、本実施形態は乾燥ゲル化方式としている。
【００８３】
送風機２３は、形成された流延膜２６を乾燥するためのものである。送風機２３は、ベルト２１に対向して設けられている。送風機２３は、流延膜２６に気体を送ることにより、流延膜２６の乾燥をすすめる。送る気体は、本実施形態では１００℃に加熱された空気としているが、温度は１００℃に限られず、また、気体も空気に限られない。送風機２３による乾燥により、流延膜２６はより迅速にゲル化する。そして、ゲル化により流延膜２６は搬送可能な固さとなる。
【００８４】
流延ダイ２４からベルト２１に至るドープ１２、いわゆるビードに関して、ベルト２１の走行方向における上流には、減圧チャンバ（図示無し）が設けられてもよい。この減圧チャンバは、流出したドープ１２の上流側エリアの雰囲気を吸引してこのエリアを減圧する。
【００８５】
流延膜２６を、ローラ乾燥機１６における搬送が可能な程度にまでベルト２１上で固めてから、溶媒を含む状態でベルト２１から剥がす。剥取ローラ２５は、流延膜２６をベルト２１から連続的に剥ぎ取るためのものである。剥取ローラ２５は、ベルト２１から剥ぎ取ることで形成された青果物用フィルム１１ａを例えば下方から支持し、流延膜２６がベルト２１から剥がれる剥取位置ＰＰを一定に保持する。剥ぎ取る手法は、青果物用フィルム１１ａを下流側へ引っ張る手法や、剥取ローラ２５を周方向に回転させる手法等のいずれでもよい。
【００８６】
ベルト２１からの剥ぎ取りは、乾燥ゲル化方式の場合には、例えば、流延膜２６の溶媒含有率が３質量％以上１００質量％以下の範囲にある間に行われ、本実施形態では１００質量％で行っている。冷却ゲル化方式の場合には、例えば、流延膜２６の溶媒含有率が１００質量％以上３００質量％以下の範囲にある間に行うことが好ましい。なお、本明細書においては、溶媒含有率（単位、％）は乾量基準の値であり、具体的には、溶媒の質量をｘ、溶媒含有率を求める青果物用フィルム１１ａの質量をｙとするときに、｛ｘ／（ｙ−ｘ）｝×１００で求める百分率である。
【００８７】
以上のように流延ユニット１５は、ドープ１２から青果物用フィルム１１ａを形成する。ベルト２１は循環して走行することにより、ドープ１２の流延と流延膜２６の剥ぎ取りとが繰り返し行われる。
【００８８】
ローラ乾燥機１６は、形成された青果物用フィルム１１ａを乾燥するためのものであり、複数のローラ２７と空調機（図示無し）とを備える。各ローラ２７は青果物用フィルム１１ａを周面で支持する。青果物用フィルム１１ａはローラ２７に巻き掛けられて搬送される。空調機は、ローラ乾燥機１６の内部の温度や湿度などを調節する。ローラ乾燥機１６において、各ローラ２７に支持されて搬送される間に、青果物用フィルム１１ａは乾燥をすすめられる。巻取機１７は、青果物用フィルム１１ａを巻き取るためのものであり、青果物用フィルム１１ａはこの巻取機１７によりロール状に巻き取られる。なお、流延ユニット１５とローラ乾燥機１６との間に、青果物用フィルム１１ａを幅方向に延伸するテンタ（図示無し）を設けてもよい。また、スリッタ（図示無し）を例えばローラ乾燥機１６と巻取機１７との間に設け、このスリッタにより青果物用フィルム１１ａの各側部を連続的に切除してもよい。
【００８９】
次に、成形体製造装置５０（図３参照）について説明する。成形体製造装置５０は、青果物用フィルム１１ａと成形用型５９とを熱成形で成形することにより、青果物用トレイ４０等の成形体にする。成形用型５９は、金属、木、熱硬化性樹脂、熱可塑性樹脂等で形成される。
【００９０】
成形体製造装置５０は、チャンバ５１と、ヒータ５２と、テーブル５３と、移動機構５４と、真空ポンプ５５と、コンプレッサ５６と、制御部５７とを備え、熱成形として真空圧空成形をするための装置である。成形体製造装置５０としては、市販の装置、例えば布施真空社製ＴＯＭ（Three dimension Overlay Method）成形機（商品名；ＮＧＦ（Next Generation Forming）成形機）を用いることができる。
【００９１】
チャンバ５１は、上チャンバ５１ａと下チャンバ５１ｂとで構成されており、上チャンバ５１ａが、図２における上下方向、すなわち、上チャンバ５１ａと下チャンバ５１ｂとの距離を増減する方向に移動自在とされている。上チャンバ５１ａを降下させ、上チャンバ５１ａと下チャンバ５１ｂとを密着させることにより、チャンバ５１内が気密状態とされる。上チャンバ５１ａには、青果物用フィルム１１ａを加熱するためのヒータ５２が設けられている。下チャンバ５１ｂには、成形用型５９を載せるためのテーブル５３が設けられている。
【００９２】
上記の成形体製造装置５０を用いて成形体を製造する手順について説明する。青果物用フィルム１１ａを、接着層を下チャンバ５１ｂに向けて、上チャンバ５１ａと下チャンバ５１ｂとの間にセットする。
【００９３】
次に、テーブル５３に成形用型５９をセットする。上チャンバ５１ａを降下させ、上チャンバ５１ａと下チャンバ５１ｂとの間に青果物用フィルム１１ａを挟んだ状態で、チャンバ５１内を気密状態にする。そして、真空ポンプ５５を作動させ、チャンバ５１内を真空状態にする。
【００９４】
上記真空状態でヒータ５２を作動し、青果物用フィルム１１ａを加熱する。この加熱により青果物用フィルム１１ａは自重で垂れ下がるが、上チャンバ５１ａ内の真空度と下チャンバ５１ｂ内の真空度とを調節することにより、青果物用フィルム１１ａがほぼ水平状態とされる。この間、温度計（図示せず）により青果物用フィルム１１ａの温度を測定する。
【００９５】
青果物用フィルム１１ａの成形温度が２００℃に達した後、下チャンバ５１ｂ内のテーブル５３を上昇させる。これにより、テーブル５３上の成形用型５９が青果物用フィルム１１ａに覆われる。この状態で、上チャンバ５１ａ内を大気圧状態とすることで、青果物用フィルム１１ａが成形用型５９に押し付けられる。さらに、コンプレッサ５６を作動させ、上チャンバ５１ａ内に圧縮空気を噴出することにより、成形用型５９に青果物用フィルム１１ａが密着する。これにより、青果物用フィルム１１ａの成形が行われる。その後、上チャンバ５１ａおよび下チャンバ５１ｂ内を大気圧状態にし、成形用型５９を離型し、成形が終了する。そして、上チャンバ５１ａを上昇させ、成形体を取り出す。
【００９６】
以下、本発明の実施例と、本発明に対する比較例とを挙げる。
【実施例】
【００９７】
［実施例１］〜［実施例１３］
フィルム製造装置１０により、幅が１．５ｍの青果物用フィルム１１ａを製造し、２０００ｍの長さを巻取機１７により巻き取り、厚みが４０μｍ、６０μｍ、１３０μｍの３種類の青果物用フィルム１１ａを製造した。ドープ１２の処方は下記の通りである。下記の固形分とは、青果物用フィルム１１ａを構成する固体成分である。
固形分の第１成分                                  １００重量部
固形分の第２成分                                    １５重量部
固形分の第３成分                                  １．３重量部
ジクロロメタン（溶媒の第１成分）                  ６３５重量部
メタノール（溶媒の第２成分）                      １２５重量部【００９８】
固形分の第１成分は、セルロースアシレートである。このセルロースアシレートは、すべてのアシル基がアセチル基であり、粘度平均重合度が３２０である。セルロースアシレートのアシル基置換度２．８６であった。【００９９】
固形分の第２成分は、アジピン酸とエチレングリコールとのエステルを繰り返し単位とするオリゴマー（末端官能基定量法による分子量は１０００）であり、セルロースアシレートの可塑剤である。固形分の第３成分は、シリカの微粒子であり、日本アエロジル（株）製のＲ９７２である。【０１００】
ドープ１２は、以下の方法でつくった。まず、固形分の第１成分と、第２成分と、ジクロロメタンとメタノールとの混合物である溶媒とをそれぞれ密閉容器に投入し、密閉容器内で４０℃に温度を保持した状態で攪拌することにより、固形分の第１成分と第２成分とを溶媒に溶解した。固形分の第３成分をジクロロメタンとメタノールとの混合物に分散し、得られた分散液を、固形分の第１成分と第２成分とが溶解している溶液が入っている上記密閉容器に入れて分散した。このようにして得られたドープ１２は、静置した後に、３０℃に温度を維持した状態でろ紙によりろ過し、その後、脱泡処理をしてから、フィルム製造装置１０での流延に供した。【０１０１】
流延ダイ２４から３０℃のドープ１２を流延して流延膜２６を形成した。形成直後の流延膜２６に、送風機２３により１００℃の空気を当て、乾燥した流延膜２６を剥取ローラ２５によりベルト２１から剥ぎ取った。剥取位置ＰＰにおけるベルト２１の温度は１０℃であった。流延膜２６は形成してから１２０秒後に剥ぎ取った。剥取位置ＰＰにおける流延膜２６の溶媒含有率は１００質量％であった。剥ぎ取りは、１５０Ｎ／ｍの張力で行った。この張力は、流延膜２６の幅１ｍ当たりの力である。形成された青果物用フィルム１１ａを、ローラ乾燥機１６に案内し、複数のローラ２７により長手方向に張力を付与した状態で搬送しながら、乾燥した。長手方向に付与した張力は１００Ｎ／ｍであった。この張力は、青果物用フィルム１１ａの幅１ｍ当たりの力である。ローラ乾燥機１６は、上流側の第１ゾーンと下流側の第２ゾーンとを有し、第１ゾーンは８０℃、第２ゾーンは１２０℃に設定した。青果物用フィルム１１ａを第１ゾーンで５分間搬送し、第２ゾーンで１０分間搬送した。巻取機１７により巻き取られた青果物用フィルム１１ａの溶媒含有率は０．３質量％であった。得られた青果物用フィルム１１ａの厚みは、表１の「厚み」欄に示す。青果物用フィルム１１ａの平衡含水率は２５℃、相対湿度８０％で３．２％、２５℃、相対湿度５５％で１．５％であった。【０１０２】
容器部材４５として、容器Ａと容器Ｂとを使用した。表１には、「容器」欄に、「容器Ａ」または「容器Ｂ」と記載している。容器Ａは、ポリエチレンテレフタレート製の成形容器であり、上面の直径１８ｃｍ、高さ１５ｃｍの円筒形であった。上面は円形に開口されている。蓋は、厚み１００μｍのＰＥＴフィルムに窓部４８となる穴を、蓋の全面または一部に開け、窓部４８に表１に記載した厚みの青果物用フィルム１１ａを配置し、ＰＥＴフィルムを開口部４７に接着して配置した。接着は市販の両面テープ（日東電工（株）製Ｎｏ５０１Ｆ）で行った（図１１参照）。なお、青果物用フィルム１１ａを配置せずにＰＥＴフィルムにより窓部４８を形成したものは、表１の「窓部」の「厚み」欄に「１００（ＰＥＴ）」と記載し、「窓部面積」欄と「Ｓ／Ｖ」欄とのかっこ内の値は、ＰＥＴフィルムでの値を記載した。また、窓部４８を設けずに開口部のままとしたものは、表１の「窓部」の「厚み」欄に「（ＣＡなし）」と記載し、「窓部面積」欄と「Ｓ／Ｖ」欄には、「−」と記載した。【０１０３】
容器Ｂは、４つの側面に開口部４７を有する発泡スチロール製の箱（トーホー工業（株）製ＥＰＳプレミアムＢＯＸ、外形の幅５９ｃｍ、長さ５０ｃｍ、高さ１４ｃｍの箱形）を用いた。容器Ｂは、上面が蓋であった。開口部４７は、カッターで切り取ることにより調整した。容器Ｂの開口部４７に、表１に記載した厚みの青果物用フィルム１１ａを、市販の両面テープ（日東電工（株）製Ｎｏ５０１Ｆ）によって外側から接着することにより配置して、窓部４８を作成した（図１２参照）。【０１０４】
青果物の材料として、ブドウを使用した。品種は、トンプソン、巨峰、およびシャインマスカットであった。トンプソンは、輸入ブドウであり、市販品であった。巨峰は、国産ブドウであり、市販品であった。シャインマスカットは、収穫後すぐのもの（３日以内）を使用した。表１の「品種」欄に、トンプソンは「Ｔ」、巨峰は「Ｋ」、シャインマスカットは「Ｓ」と記載した。【０１０５】
得られた青果物用フィルム１１ａを、ブドウの包装と窓部の形成に供し、冷蔵でのブドウ保管試験を実施した。具体的には、冷蔵保存におけるブドウの重量減少と、結露、カビ、シワの有無とをそれぞれ評価した。また、シャインマスカットについては、軸の色味について観察した。【０１０６】
まず、得られた青果物用フィルム１１ａを幅１５０ｍｍの帯状にカットし、帯状フィルムとした。これを、ブドウを帯状フィルムで包んで包装するのに用いた。本実施例では、保存部材が帯状フィルムであるので、表１において、「保存部材」の欄に、帯状フィルムの「厚み」及び「重量」を記載した。帯状フィルム包装においては、開放されている残りの１辺の縁部を接着テープ（図示せず）により閉じた（図７参照）。【０１０７】
保存材料のブドウであるトンプソン（表１において、「Ｔ」と記載）については、約３００ｇ（２５０ｇから３５０ｇの範囲）のものを、帯状フィルムを用いて表１の面積となる長さの帯状フィルムで包んだ。この包装体を、容器Ａに収納した。容器Ａの上部は、一部または全部が青果物用フィルム１１ａである蓋により蓋をした。窓部面積Ｓ、及び、使用した青果物用フィルム１１ａの厚みは、表１の通りであった。また、表１の「保存部材」の欄に、帯状フィルムのデータを記載した。したがって、本実施例では、帯状フィルムと窓部４８とを、保存部材１１から形成した。包装体を収納した容器Ａを冷蔵庫に１ヶ月間保管した。保管条件は平均で３℃５０％ＲＨであった。重量測定による経時でのブドウの重量減量率を測定した。帯状フィルムの内側または容器内の結露、ブドウの実のシワ、およびカビの有無を観察した。【０１０８】
巨峰（表１において、「Ｋ」と記載）については、約５００ｇ（４５０ｇから５５０ｇの範囲内）のものを、トンプソンと同様に、帯状フィルムを用いて表１の窓部面積となる長さの帯状フィルムで包んだ。この包装体を、包装体を収納した容器Ａに収納した。容器Ａの上部は、一部もしくは全部が青果物用フィルム１１ａ、または厚み１００μｍのＰＥＴフィルムである蓋により蓋をした。実施例８では、実施例７の窓部４８に設けた青果物用フィルム１１ａを取り除き、窓部４８であった部分は開口部とした。青果物用フィルム１１ａによる窓部面積Ｓ、及び、使用した青果物用フィルム１１ａの厚みは、表１の通りであった。また、表１の「保存部材」の欄に、帯状フィルムのデータを記載した。したがって、本実施例では、帯状フィルムと窓部４８とを、保存部材１１から形成した。容器Ａを冷蔵庫に１ヶ月間保管した。保管条件は平均で３℃５０％ＲＨであった。重量測定による経時でのブドウの重量減量率を測定した。帯状フィルムの内側または容器内の結露、ブドウの実のシワ、およびカビの有無を観察した。【０１０９】
収穫直後のシャインマスカット（表１において、「Ｓ」と記載）４房（約２６００ｇ、２５００ｇから２７００ｇの範囲内）を、帯状フィルムで包装した。その包装体を蓋付きの容器Ｂに収納した。窓部面積Ｓ、及び、使用した青果物用フィルム１１ａの厚みは、表１の通りであった。また、表１の「保存部材」の欄に、青果物用フィルム１１ａのデータを記載した。したがって、本実施例では、青果物用フィルム１１ａと窓部４８とを、保存部材１１から形成した。包装体を収納した容器Ｂを冷蔵倉庫に３ヶ月間保管した。保管条件は平均で２℃８０％ＲＨであった。他のブドウと同様の１ヶ月間保管の際と、３ヶ月間保管の際に評価を行った。各評価の方法及び基準は以下の通りである。各評価結果は表１に示す。【０１１０】
１．容器内の結露状態
上記の１ヶ月間または３ヶ月間の静置後、冷蔵庫から容器Ａ及び容器Ｂを取り出し、容器部材４５内の容器の壁、青果物用フィルム１１ａの内側の水滴となった結露の有無を目視で観察した。評価の基準は、結露ありと、結露なしとの２段階である。各評価結果は表１の「結露」欄に示す。【０１１１】
２．カビ
上記静置後のブドウを目視で観察し、カビの発生の有無を確認した。評価の基準は、カビの発生ありと、カビの発生なしとの２段階である。各評価結果は表１の「カビ」欄に示す。【０１１２】
３．シワ
上記静置後のブドウを目視で観察し、ブドウの実の外観のシワについて確認した。評価の基準は、以下の３段階である。Ａは合格、ＢおよびＣは不合格である。各評価結果は表１の「シワ」欄に示す。
Ａ：実のシワが見えない。
Ｂ：実にわずかにシワが見える。
Ｃ：実にシワがはっきり見える。【０１１３】
４．ブドウの重量減少
上記１ヶ月間または３ヶ月静置前と後のブドウの重量を測定した。その測定値をＭＢ（単位はｇ）とする。青果物用フィルム１１ａによって包装される前の各種ブドウの重量、例えば、トンプソンであれば３００ｇを基準にし、減少した重量の割合を｛（３００−ＭＢ）／３００｝×１００の算出式により百分率で求め、その百分率の値を保管日数１日あたりに換算した。求めた結果は、表１の「重量減少」欄に示す。【０１１４】
５．軸の色味
シャインマスカットについては、ブドウの軸の色味の変化を、身のある部分、ない部分について以下に目視で観察し、評価した。収穫し開始した直後は、軸はどちらも緑色であった。評価の基準は、以下の３段階である。各評価結果は表１の「軸色見」欄に示す。
Ａ：実のある部分、ない部分とも軸は緑色である。
Ｂ：実のある部分は緑色である。無い部分は褐色である。
Ｃ：実のある部分、無い部分とも褐色である。【０１１５】
【表１】
2020184112.tif 000003
【０１１６】
［比較例１］〜［比較例３］
比較例１では、トンプソンについて、帯状フィルムで包む以外は、実施例１と同様にして、容器Ａを冷蔵庫に保管した。すなわち、ブドウを包まない状態のままで容器Ａに収納した。重量測定による経時でのブドウの重量減量率を測定した。帯状フィルムの内側または容器内の結露、ブドウの実のシワ、およびカビの有無を観察した。比較例２では、容器Ａの蓋に窓部を設けなかったこと以外は、比較例１と同様とした。すなわち、全面をＰＥＴ製の蓋とした。比較例２の青果物用フィルム１１ａを配置せずにＰＥＴフィルムにより窓部を形成したものは、表１の「窓部」の「厚み」欄に「１００（ＰＥＴ）」と記載し、「窓部面積」欄と「Ｓ／Ｖ」欄とのかっこ内の値は、ＰＥＴフィルムでの値を記載した。比較例３では、トンプソンについて、青果物用フィルム１１ａではなく、ポリプロピレンフィルム（アクリサンデー（株）製、ＰＰクラフトフィルムＰＦ−１１、厚み２００μｍ）で包む以外は、実施例１と同様にして、容器Ａを冷蔵庫に保管した。【０１１７】
比較例１〜比較例３においても、実施例と同様に評価した。比較例１では、１ヶ月冷蔵保管後に、結露が発生し、カビが発生した。比較例２では、重量減少が１日あたり１％と比較的大きく、また、シワの評価が不合格であった。比較例３では、１ヶ月冷蔵保管後に、結露が発生し、カビが発生した。各評価結果は表１に示す。なお、比較例１および比較例２は、容器部材４５の内部に保存部材１１を設けなかったため、表１の「保存部材」の「厚み」、「重量」、「重量／内容積」の各欄には「−」と記載する。なお、比較例１〜３に加え、実施例１から８では、「冷蔵保存３ヶ月後」の保管を行っていないため、表１におけるこの欄は斜線とした。
【符号の説明】
【０１１８】
１０  フィルム製造装置
１１  保存部材
１１ａ  青果物用フィルム
１２  ドープ
１５  流延ユニット
１６  ローラ乾燥機
１７  巻取機
２１  ベルト
２２  ローラ
２３  送風機
２４  流延ダイ
２４ａ  流出口
２５  剥取ローラ
２６  流延膜
２７  ローラ
３０  青果物用袋
３２  縁部
３４  蓋
３６  容器部
４０  青果物用トレイ
４２  ブドウ
４３  保存容器
４５  容器部材
４７  開口部
４８  窓部
４９  接着部
５０  成形体製造装置
５１  チャンバ
５１ａ  上チャンバ
５１ｂ  下チャンバ
５２  ヒータ
５３  テーブル
５４  移動機構
５５  真空ポンプ
５６  コンプレッサ
５７  制御部
５９  成形用型
ＳＰ  空間
ＰＰ  剥取位置
【図１】
2020184112.tif 000004
【図２】
2020184112.tif 000005
【図３】
2020184112.tif 000006
【図４】
2020184112.tif 000007
【図５】
2020184112.tif 000008
【図６ａ】
2020184112.tif 000009
【図６ｂ】
2020184112.tif 000010
【図７】
2020184112.tif 000011
【図８】
2020184112.tif 000012
【図９】
2020184112.tif 000013
【図１０】
2020184112.tif 000014
【図１１】
2020184112.tif 000015
【図１２】
2020184112.tif 000016
【国際調査報告】
2020184112.tif 000017
2020184112.tif 000018
2020184112.tif 000019
2020184112.tif 000020
2020184112.tif 000021